(57)【要約】      （修正有）【課題】家までの配線の自由度を確保しやすい共用宅地桝を提供する。【解決手段】共用宅地桝１００は、周縁部１１０と、周縁部１１０の底を閉じる底面部と、蓋部１３０を具備する。周縁部１１０または底面部に、道路側の電力ケーブル用の穴１１１またはノックアウトと道路側の通信ケーブル用１１３の穴またはノックアウトを有する場合は、周縁部１１０は、少なくとも所定の高さの一周において、１／３以上の範囲でノックアウト域１１５を有する。周縁部１１０が４つの面で構成されているときは、少なくとも２つの面にノックアウト域１１５を有する。もしくは、共用宅地桝１００は、少なくとも所定の高さの一周において、１／２以上の範囲でノックアウト域１１５を有する。周縁部１１０が４つの面で構成されているときは、少なくとも３つの面にノックアウト域１１５を有する。【選択図】図２
0003219347.tif 000002
【実用新案登録請求の範囲】
【請求項１】
周縁部と、前記周縁部の底を閉じる底面部と、蓋部を具備し、
前記周縁部または底面部に、道路側の電力ケーブル用の穴またはノックアウトと、道路側の通信ケーブル用の穴またはノックアウトを有し、
前記周縁部は、少なくとも所定の高さの一周において、１／３以上の範囲で、ドリルまたはカッタで宅内側の電力ケーブル用の穴と宅内側の通信ケーブル用の穴をあけることができる領域であるノックアウト域を有する
ことを特徴とする共用宅地桝。
【請求項２】
周縁部と、前記周縁部の底を閉じる底面部と、蓋部を具備し、
前記周縁部または底面部に、道路側の電力ケーブル用の穴またはノックアウトと、道路側の通信ケーブル用の穴またはノックアウトを有し、
前記周縁部は４つの面で構成され、少なくとも２つの面に、ドリルまたはカッタで宅内側の電力ケーブル用の穴と宅内側の通信ケーブル用の穴をあけることができる領域であるノックアウト域を有する
ことを特徴とする共用宅地桝。
【請求項３】
周縁部と、前記周縁部の底を閉じる底面部と、蓋部を具備し、
前記周縁部または底面部に、道路側の電力ケーブル用の穴またはノックアウトと、道路側の通信ケーブル用の穴またはノックアウトを有し、
前記周縁部は、４つの面で構成され、３つの面に厚さが薄い領域であるノックアウト域を有する
ことを特徴とする共用宅地桝。
【請求項４】
周縁部と、前記周縁部の底を閉じる底面部と、蓋部を具備し、
前記周縁部は、少なくとも所定の高さの一周において、１／２以上の範囲で、ドリルまたはカッタで穴をあけることができる領域であるノックアウト域を有する
ことを特徴とする共用宅地桝。
【請求項５】
周縁部と、前記周縁部の底を閉じる底面部と、蓋部を具備し、
前記周縁部は４つの面で構成され、少なくとも３つの面に、ドリルまたはカッタで穴をあけることができる領域であるノックアウト域を有する
ことを特徴とする共用宅地桝。
【請求項６】
周縁部と、前記周縁部の底を閉じる底面部と、蓋部を具備し、
前記周縁部は、４つの面で構成され、４つの面に厚さが薄い領域であるノックアウト域を有す
ことを特徴とする共用宅地桝。
【考案の詳細な説明】
【技術分野】
【０００１】
本考案は、宅地の地下に設置するケーブル収容用の宅地桝に関する。
【背景技術】
【０００２】
通信ケーブル用の宅地桝として特許文献１の技術が知られている。宅地用ではないが、道路の地下に設けられた管路や溝から宅地に配線するための分岐桝として特許文献２，３の技術が知られている。
【先行技術文献】
【特許文献】
【０００３】
【特許文献１】特開２００８−１０９７９１号公報
【特許文献２】特開２００６−１０１６５２号公報
【特許文献３】特開２００２−１７０３０号公報
【考案の概要】
【考案が解決しようとする課題】
【０００４】
従来、道路の地下などに形成されている共同溝では、電力ケーブルと通信ケーブルとを隔離しながら同一の溝の中に収容する例がある。しかし、宅地では、電気設備技術基準および電気通信設備技術基準に従って、電力ケーブルと通信ケーブルとは別々に配線されていた。そのため、宅地桝は電力と通信で別々であり、特許文献１に示された宅地桝は通信ケーブルだけを収容していた。平成２９年６月の電気設備技術基準と電気通信設備技術基準の改定により、宅地桝を共用にすることが可能になった。
【０００５】
しかし、電力ケーブルは、宅地桝よりも宅内側に配置される電力メータ、避雷器、分電盤などに接続され、その後、宅内全体に配線される。一方、通信ケーブルは、メタル線であれば保安器に接続され、宅内の通信装置を設置する位置まで配線される。光ファイバであれば宅内に設置されたＯＮＵ（Optical Network Unit，光回線終端装置）などの終端装置に接続され、有線または無線のＬＡＮなどによって宅内に配線される。このような配線の都合から、電力ケーブルと通信ケーブルは家の中に引き込む位置が異なることが多い。その結果、宅地桝は共用にできても、宅地桝からの配線は別々になることが多いと考えられる。
【０００６】
従来は、家の中に引き込む位置と道路の地下の管路や溝からケーブルを引き出す位置を考慮して、電力用と通信用の宅地桝の配置をそれぞれの都合に合わせて独立に決めればよかった。宅地桝を共用にすると、電力に都合のいい位置が通信に都合のいい位置とは限らないという課題がある。特に、家に引き込む位置の違いは、この課題に与える影響が大きい。本考案は、家までの配線の自由度を確保しやすい共用宅地桝を提供することを目的とする。
【課題を解決するための手段】
【０００７】
本考案の共用宅地桝は、周縁部と、周縁部の底を閉じる底面部と、蓋部を具備する。周縁部または底面部に、道路側の電力ケーブル用の穴またはノックアウトと道路側の通信ケーブル用の穴またはノックアウトを有する場合は、周縁部は、少なくとも所定の高さの一周において、１／３以上の範囲でノックアウト域を有する。周縁部が４つの面で構成されているときは、少なくとも２つの面にノックアウト域を有する。もしくは、本考案の共用宅地桝は、周縁部および底面部に、少なくとも所定の高さの一周において、１／２以上の範囲でノックアウト域を有する。周縁部が４つの面で構成されているときは、少なくとも３つの面にノックアウト域を有する。
【考案の効果】
【０００８】
本考案の共用宅地桝は、ノックアウト域を、周縁部の１／３以上の方向、または周縁部が４つの面で構成されているときは少なくとも２つの面に有している。本考案の共用宅地桝であれば、宅内側の電力ケーブル用の穴の位置と通信ケーブル用の穴の位置を、高い自由度で選択できるので、家の中に引き込む位置に適合させやすい。したがって、家までの配線の自由度を確保しやすい。
【図面の簡単な説明】
【０００９】
【図１】道路側から家までの配線の様子を示す図。
【図２】実施例１の共用宅地桝の平面図。
【図３】実施例１の共用宅地桝を道路側から見た側面図。
【図４】図２のＡ−Ａ線での断面図。
【図５】変形例１の共用宅地桝の周縁部を上から見た図。
【図６】変形例２の共用宅地桝の平面図。
【図７】変形例２の共用宅地桝を道路側から見た側面図。
【図８】図６のＢ−Ｂ線での断面図。
【考案を実施するための形態】
【００１０】
以下、本考案の実施の形態について、詳細に説明する。なお、同じ機能を有する構成部には同じ番号を付し、重複説明を省略する。
【実施例１】
【００１１】
図１に道路側から家までの配線の様子を示す。道路９１０の地下には、電力ケーブルと通信ケーブルが収容される溝である共同溝８１０が形成されている。電力の場合は、引き込みの方式によって共同溝８１０と共用宅地桝１００の間に電力ケーブル８２０が２本ある場合と１本ある場合がある。図１は２本の場合を示している。通信の場合は、通常は１本の通信ケーブル８３０が、共同溝８１０と共用宅地桝１００の間にある。共用宅地桝１００は宅地９２０内に配置される。図１では共用宅地桝１００は駐車場９３０の地下に配置されているが、必ずしも駐車場９３０でなくても構わない。共用宅地桝１００からは、家９２０に引き込む位置に合わせて、宅内側の電力ケーブル８２５と宅内側の通信ケーブル８３５が配線される。
【００１２】
図２に実施例１の共用宅地桝の平面図（上から見た図）を、図３に実施例１の共用宅地桝を道路側から見た側面の図を、図４に図２のＡ−Ａ線での断面図を示す。実施例１の共用宅地桝１００は、周縁部１１０と、周縁部１１０の底を閉じる底面部１２０と、蓋部１３０を具備する。周縁部１１０と底面部１２０と蓋部１３０に囲まれた空間が、ケーブルなどを収容するための収容部１４０である。周縁部１１０または底面部１２０に、道路側の電力ケーブル８２０用の穴１１１と道路側の通信ケーブル８３０用の穴１１３を有する。なお、図２，３では穴１１１は２つあるが、電力ケーブルの引き込みの方式によっては１つでもよい。図２，３では穴１１１，１１３は周縁部１１０に形成されているが、特許文献１のように底面部１２０に形成してもよい。また、穴１１１，１１３の代わりに、容易に穴をあけやすいように、穴１１１，１１３と同程度の広さのノックアウト（ドリル、カッタ、ハンマなどで穴をあけやすいように、薄くなっている部分）を形成していてもよい。
【００１３】
蓋部１３０は、開口部１３１と閉塞部１３２を備える。蓋部１３０は、金属製であり、周縁部１１０の上部を覆う。閉塞部１３２は土に覆われ、開口部１３１が地面９３１と同じ高さになる。したがって、共用宅地桝１００を目立たないようにできる。また、共用宅地桝１００を設置後でも、開口部１３１を開くことでケーブルの敷設や保守などを行うことができる。
【００１４】
周縁部１１０は、例えば４つの面で構成され、それらの面の中の２つ以上の面に厚さが薄い領域であるノックアウト域１１５を有す。図２〜４の例では３つの面にノックアウト域を有している。ノックアウト域１１５は、ドリルまたはカッタで、宅内側の電力ケーブル８２５用の穴と宅内側の通信ケーブル８３５用の穴をあけることができる領域である。ノックアウト域１１５は、電力ケーブル、通信ケーブルの断面よりも十分広く、穴の位置を自由に選択できる領域である。つまり、「ノックアウト域」は、穴１１１，１１３と同程度の広さのノックアウトは含まない意味である。異なる表現でノックアウト域１１５の広さについて限定すると、例えば、ノックアウト域を形成する所定の高さの一周において、１／３以上の範囲にノックアウト域１１５を形成すればよい。図２ではノックアウト域１１５は、一周において約１／２の範囲に形成されている。
【００１５】
周縁部１１０、底面部１２０の材料としては、レジンコンクリート、一般的な樹脂、セメントコンクリートなどがあり得る。周縁部１１０、底面部１２０をレジンコンクリート製の無筋の構造にすれば、厚さを薄くするだけで容易にノックアウト域１１５を形成できる。レジンコンクリート製であれば、一般的なセメントコンクリートよりも高強度なので、無筋にできる。また、ダイアモンドコアのドリルまたはカッタで穴をあけることができる。さらには、レジンコンクリートであれば、共用宅地桝１００をいくつかに分けて製造しておき、現場で組み立てることも可能であるし、発注から納期の期間が短いときにも対応しやすい。ただし、ノックアウト域を、土砂から加わる圧力に耐える強度を保ちながら無筋にでき、簡易に穴をあけることができる材質であればレジンコンクリートに限定する必要はない。一般的な樹脂系の材料の場合には、同一形状の周縁部１１０、底面部１２０を大量に製造するときには低コスト化が可能である。セメントコンクリートに分類される材料の場合には、汎用的な材料なので大量に製造するときでなくてもコストを抑えやすい。周縁部１１０、底面部１２０の材料は、それぞれの材料の特徴を考慮して適宜選択すればよい。「無筋」とは、構造物の強度を高めるための鉄筋が入っていないことを意味する。なお、窓ガラスが割れたときの飛散防止に使われる金属製の網（ドリルまたはカッタで容易に切断できるほど細い金属製の網）は、前述の鉄筋には含まれない。本明細書では、飛散防止用の金属製の網が入っている構造も、「無筋」の範囲に含まれる。レジンコンクリート製の周縁部１１０、底面部１２０は、金属製の網を有してもよい。金属製の網を内部に有していれば、ノックアウト域１１５が割れたときに、レジンコンクリートがバラバラになることを防ぐことができる。
【００１６】
共用宅地桝１００の周縁部１１０と底面部１２０の内寸および厚さは、電力ケーブルの引き込み方式などを考慮して適宜選択すればよい。一般的には、幅（図２，３の横方向）を４００〜６００ｍｍ、長さ（図２の縦方向）を７００〜９００ｍｍ、高さ（図３の縦方向）を４００〜９００ｍｍの範囲から選択すればよいが、これらに限定する必要はない。また、ノックアウト域１１５以外の厚さｔ１を５０〜１００ｍｍ、ノックアウト域１１５の厚さｔ２を２０〜３０ｍｍの範囲から選択すればよいが、これらに限定する必要はない。
【００１７】
本考案の共用宅地桝では、広い範囲にノックアウト域１１５を形成しているので、宅内側の電力ケーブル８２５と通信ケーブル８３５の配線の自由度を高めることができる。少なくとも２面以上にノックアウト域１１５を有する場合は、宅内側の電力ケーブル８２５と通信ケーブル８３５を９０度、またはそれ以上の角度で異なる方向に引き出すことができる。また、一周において１／３以上の範囲という限定でも、広い範囲の中から選んで電力ケーブル８２５と通信ケーブル８３５を引き出せる構造となるので同様の効果が得られる。したがって、本考案の共用宅地桝であれば、家までの配線の自由度を確保しやすい。
【００１８】
［変形例１］
図５に、変形例１の共用宅地桝の周縁部を上から見た図を示す。共用宅地桝１０１は、周縁部１１０がドーナッツ状である。底面部１２０と蓋部１３０は、図示していないが、周縁部１１０の形状に適合する形状とすればよい。共用宅地桝１０１の周縁部１１０の場合も、ノックアウト域を形成する所定の高さの一周において、１／３以上の範囲にノックアウト域１１５を形成すればよい。図５の例では、一周において約１／２の範囲にノックアウト域１１５が形成されている。ドーナッツ状の周縁部１１０の場合に、１／３の範囲にノックアウト域１１５が形成されれば、１２０度の中から宅内側の電力ケーブル８２５と通信ケーブル８３５の穴の方向を選択できる。したがって、本考案の共用宅地桝であれば、家までの配線の自由度を確保しやすい。
【００１９】
［変形例２］
図６に変形例２の共用宅地桝の平面図（上から見た図）を、図７に変形例２の共用宅地桝を道路側から見た側面の図を、図８に図６のＢ−Ｂ線での断面図を示す。変形例２の共用宅地桝１００は、周縁部１１２と、周縁部１１２の底を閉じる底面部１２０と、蓋部１３０を具備する。周縁部１１２と底面部１２０と蓋部１３０に囲まれた空間が、ケーブルなどを収容するための収容部１４０である。
【００２０】
変形例２では周縁部１１２および底面部１２０に、道路側の電力ケーブル用の穴と道路側の通信ケーブル用の穴を形成していない。このように、道路側のケーブル用の穴またはノックアウトを全部または一部形成していない場合は、道路側の電力ケーブル用の穴と通信ケーブル用の穴もあける必要がある。そのため、図２に示した共用宅地桝１００では道路側の電力ケーブル用の穴１１１と道路側の通信ケーブル用の穴１１３を形成していた位置に、図６に示した共用宅地桝１０２ではノックアウト域１１５を形成している。また、周縁部１１２の２つの面は、面全体の厚さを薄くすることで、面全体をノックアウト域１１６としている。つまり、周縁部１１２は、４つの面で構成され、４つの面に厚さが薄い領域であるノックアウト域１１５，１１６を有する。変形例２では、ノックアウト部１１５，１１６は、ドリルまたはカッタで、道路側の電力ケーブル用の穴、道路側の通信ケーブル用の穴、宅内側の電力ケーブル用の穴、宅内側の通信ケーブル用の穴をあけることができる領域である。
【００２１】
なお、ノックアウト域１１５，１１６を４つの面に形成しなくても、少なくとも３つの面にノックアウト域１１５，１１６を形成すれば、家までの配線の自由度を確保しやすい。また、周縁部１１２が４つの面で構成されていない場合も考慮して異なる表現を用いると、周縁部１１２は、少なくとも所定の高さの一周において、１／２以上の範囲で、ドリルまたはカッタで、道路側の電力ケーブル用の穴、道路側の通信ケーブル用の穴、宅内側の電力ケーブル用の穴、宅内側の通信ケーブル用の穴をあけることができる領域であるノックアウト域を有する。
【００２２】
共用宅地桝１００と同様に、周縁部１１２、底面部１２０をレジンコンクリート製の無筋の構造にすれば、厚さを薄くするだけで容易にノックアウト域１１５，１１６を形成できる。「無筋」の定義は実施例１と同じである。また、金属製の網（ドリルまたはカッタで容易に切断できるほど細い金属製の網）を周縁部１１２の内部に有していれば、ノックアウト域１１５，１１６が割れたときに、レジンコンクリートがバラバラになることを防ぐことができる。
【００２３】
共用宅地桝１０２の周縁部１１２と底面部１２０の内寸および厚さは、電力ケーブルの引き込み方式などを考慮して適宜選択すればよく、共用宅地桝１００と同じであるノックアウト域１１６の厚さｔ３は５０ｍｍ程度にすればよいが、これらに限定する必要はない。
【００２４】
本考案の共用宅地桝では、広い範囲にノックアウト域１１５，１１６を形成しているので、宅内側の電力ケーブル８２５と通信ケーブル８３５の配線の自由度を高めることができる。少なくとも３面以上にノックアウト域１１５，１１６を有する場合は、宅内側の電力ケーブル８２５と通信ケーブル８３５を９０度、またはそれ以上の角度で異なる方向に引き出すことができる。また、一周において１／２以上の範囲という限定でも、広い範囲の中から選んで電力ケーブル８２５と通信ケーブル８３５を引き出せる構造となるので同様の効果が得られる。したがって、変形例２の共用宅地桝であれば、家までの配線の自由度を確保しやすい。
【符号の説明】
【００２５】
１００，１０１，１０２  共用宅地桝      １１０，１１２  周縁部
１１１，１１３  穴                      １１５，１１６  ノックアウト域
１２０  底面部                          １３０  蓋部
１３１  開口部                          １３２  閉塞部
１４０  収容部                          ８１０  共同溝
８２０，８２５  電力ケーブル            ８３０，８３５  通信ケーブル
９１０  道路                            ９２０  宅地
９２０  家                              ９３０  駐車場
９３１  地面
【図１】
0003219347.tif 000003
【図２】
0003219347.tif 000004
【図３】
0003219347.tif 000005
【図４】
0003219347.tif 000006
【図５】
0003219347.tif 000007
【図６】
0003219347.tif 000008
【図７】
0003219347.tif 000009
【図８】
0003219347.tif 000010